(57)【要約】【課題】地震が発生により内部に貯留された液体に大きな揺れが発生した場合であっても、天井に近い位置において側板が座屈・破断したり、側板に近い位置で天井が座屈・破断されたりする危険性を有効に低減することができる新規な耐震性貯水槽を提供する。【解決手段】それぞれ方形状に成形された正面側壁２、背面側壁３、左側壁４及び右側壁５からなる４つの側壁と、方形状に成形された天井６とを有し、外形形状が立方体状又は直方体状に成形され、上記４つの側壁のそれぞれの上端と天井の端部との間には、地震等の振動に基づく貯水槽全体の変位による応力を吸収する変位吸収板部材１１，１２，１３，１４がそれぞれ固定されてなる。【選択図】  図５
2020094354.tif 000002
【特許請求の範囲】
【請求項１】
それぞれ方形状に成形された正面側壁、背面側壁、左側壁及び右側壁からなる４つの側壁と、方形状に成形された天井とを有し、外形形状が立方体状又は直方体状に成形された耐震性貯水槽であって、
上記４つの側壁のそれぞれの上端と天井の端部との間には、地震等の振動に基づく貯水槽全体の変位による応力を吸収する変位吸収板部材がそれぞれ固定されてなることを特徴とする耐震性貯水槽。
【請求項２】
前記４つの側壁は、それぞれ方形状に成形された複数の金属製側パネルから構成され、
これらの金属製側パネルの４つの端部のそれぞれには、内側に折曲された壁側折曲片が形成されてなるとともに、
上下方向及び／又は左右方向に隣り合う該金属製側パネルのそれぞれに形成された上記壁側折曲片同士は互いに溶接され、
前記天井は、それぞれ方形状に成形された複数の金属製天井パネルから構成され、
これらの金属製天井パネルの４つの端部のそれぞれには、内側に折曲された天井側折曲片が形成されてなるとともに、
特定方向及び／又は該特定方向と直交する他の方向に隣り合う該金属製天井パネルのそれぞれに形成された上記天井側折曲片同士は互いに溶接され、
前記変位吸収板部材は、上記個々の金属製側パネル及び個々の金属製天井パネルの長さ又は幅よりも長尺に成形された変位吸収板部と、この変位吸収板部の両側にそれぞれ形成された角部側折曲片と、を備え、
上記４つの側壁の最も上端に位置する金属製側パネルに形成された壁側折曲片と、前記天井の端部に位置する金属製天井パネルに形成された天井側折曲片とは、それぞれ前記変位吸収板部材に形成された角部側折曲片に溶接されてなることを特徴とする請求項１記載の耐震性貯水槽。
【請求項３】
前記正面側壁と左側壁との間、該正面側壁と右側壁との間、前記背面側壁と左側壁との間及び該背面側壁と右側壁との間には、前記変位吸収板部材が固定されてなることを特徴とする請求項１記載の耐震性貯水槽。
【発明の詳細な説明】
【技術分野】
【０００１】
本発明は、浄水場から送られた浄水を一時的に貯留し、需要量に応じて流出される機能を備えた配水池とも称される耐震性貯水槽に関し、特に、複数の金属製パネルが互いに溶接される等して成形された耐震性貯水槽に関するものである。
【背景技術】
【０００２】
これまで、貯水槽としては、その設置場所や用途又は機能等に応じて様々な形状や構造に係るものが提案され施工されており、こうした貯水槽が地震により破壊されることを防止するために、様々な構造が採用されている。換言すれば、貯水槽は、該貯水槽全体の重量に対して、貯水されている液体の重量の割合が相当高く、地震の発生（とりわけ長周期振動の発生）によって貯水槽内部の液体が大きく又不規則に揺れ、こうした液体の揺れにより貯水槽の一部が座屈・破断される場合が多く、こうした事態を防止するために、各種の対策が採られている。
【０００３】
そして、上記地震による座屈・破断を防止する対策としては、例えば、特開平１０−１５２１９５号公報（特許文献１）に開示された貯水槽の構造のように、側壁の内部面に、水平方向又は鉛直方向に長さを有する補強片（スロッシング防止治具）を固定したものや、特開２００２−２０５７９３号公報（特許文献２）に開示された内部補強構造のように、貯水槽を構成する一方の側壁と他方の側壁とを複数の内部補強バーにより連結したものが提案されている。他にも、貯水槽を補強する構造としては、特開２００１−１３９０９１号公報（特許文献３）や特開２００６−３６２４５号公報（特許文献４）に開示されたものがある。
【先行技術文献】
【特許文献】
【０００４】
【特許文献１】特開平１０−１５２１９５号公報
【特許文献２】特開２００２−２０５７９３号公報
【特許文献３】特開２００１−１３９０９１号公報
【特許文献４】特開２００６−３６２４５号公報
【発明の概要】
【発明が解決しようとする課題】
【０００５】
しかしながら、上記特許文献１に開示されたものでは、側壁は補強されるものの、側壁と天井との間に発生する応力には十分対応することができない。とりわけ、側壁の剛性に比べて天井の剛性が高くなればなるほど、天井に近い位置において側板が座屈・破断したり、側板に近い位置で天井が座屈・破断されたりする危険性が高い。こうした課題は、上記特許文献２乃至４においても同様であり、比較的小型の貯水槽においても、こうした側壁又は天井の座屈・破断の発生は避けることができない。
【０００６】
そこで、本発明は、上述した従来の貯水槽が有する課題を解決するために提案されたものであって、地震が発生により内部に貯留された液体に大きな揺れが発生した場合であっても、天井に近い位置において側板が座屈・破断したり、側板に近い位置で天井が座屈・破断されたりする危険性を有効に低減することができる新規な耐震性貯水槽を提供することを目的とするものである。
【課題を解決するための手段】
【０００７】
本発明は、上記課題を解決するために提案されたものであって、第１の発明（請求項１記載の発明）は、それぞれ方形状に成形された正面側壁、背面側壁、左側壁及び右側壁からなる４つの側壁と、方形状に成形された天井とを有し、外形形状が立方体状又は直方体状に成形された貯水槽であって、上記４つの側壁のそれぞれの上端と天井の端部との間には、地震等の振動に基づく貯水槽全体の変位による応力を吸収する変位吸収板部材がそれぞれ固定されてなることを特徴とするものである。
【０００８】
上記第１の発明に係る耐震性貯水槽では、上記４つの側壁のそれぞれの上端と天井の端部との間には、上記変位吸収板部材がそれぞれ固定されてなることから、地震等の振動に基づく貯水槽全体の変位による応力をある程度吸収することが可能となり、地震が発生により内部に貯留された液体に大きな揺れが発生した場合であっても、天井に近い位置における側壁が座屈・破断したり、側壁に近い位置における天井が座屈・破断されたりする危険性を有効に低減することができる。
【０００９】
なお、上記４つの側壁は、後述する第２の発明のように、それぞれ複数の金属製側パネルが上下方向及び／又は左右方向に溶接されることにより構成されたものである必要性はなく、例えば、上下方向（鉛直方向）に長さを有し左右方向に幅を有する長方形状の側パネルが左右方向に複数連続して固定されることにより、上記正面側壁、背面側壁、左側壁及び右側壁が構成されているものであっても良いし、左右方向に長さを有し上下方向に幅を有する側パネルが上下方向に複数連続して固定されることにより、上記正面側壁、背面側壁、左側壁及び右側壁が構成されているものであっても良い。また、天井パネルも、例えば、特定方向（Ｘ方向）及びこの特定方向と直交する他の方向（Ｙ方向）に複数連続して固定されたものである必要性はなく、特定方向に長さを有し該特定方向とは直交する他の方向に幅を有する長方形状の天井パネルが上記他の方向に複数連続して固定されてなるものであっても良いし、特定方向に幅を有し上記他の方向に長さを有する天井パネルが特定方向に複数連続して固定されてなるものであっても良い。
【００１０】
また、上記変位吸収板部材は、少なくとも、上記４つの側壁のそれぞれの上端と天井の端部との間にそれぞれ固定されていれば良く、少なくともこの第１の発明においては、該変位吸収板部材の形状や肉厚は、特に限定されるものではないが、例えば、該変位吸収板部材の肉厚は、上記天井を構成する部材の肉厚よりも薄いものとしても良い。
【００１１】
また、第２の発明（請求項２記載の発明）は、上記第１の発明において、前記４つの側壁は、それぞれ方形状に成形された複数の金属製側パネルから構成され、これらの金属製側パネルの４つの端部のそれぞれには、内側に折曲された壁側折曲片が形成されてなるとともに、上下方向及び／又は左右方向に隣り合う該金属製側パネルのそれぞれに形成された上記壁側折曲片同士は互いに溶接され、前記天井は、それぞれ方形状に成形された複数の金属製天井パネルから構成され、これらの金属製天井パネルの４つの端部のそれぞれには、内側に折曲された天井側折曲片が形成されてなるとともに、特定方向及び／又は該特定方向と直交する他の方向に隣り合う該金属製天井パネルのそれぞれに形成された上記天井側折曲片同士は互いに溶接され、前記変位吸収板部材は、上記個々の金属製側パネル及び個々の金属製天井パネルの長さ又は幅よりも長尺に成形された変位吸収板部と、この変位吸収板部の両側にそれぞれ形成された角部側折曲片と、を備え、上記４つの側壁の最も上端に位置する金属製側パネルに形成された壁側折曲片と、前記天井の端部に位置する金属製天井パネルに形成された天井側折曲片とは、それぞれ前記変位吸収板部材に形成された角部側折曲片に溶接されてなることを特徴とするものである。
【００１２】
この第２の発明に係る耐震性貯水槽では、４つの側壁も天井も、それぞれ複数の金属製パネル（金属製側パネル又は金属製天井パネル）により構成され、それぞれの金属製パネル（金属製側パネル又は金属製天井パネル）は、内側に折曲された折曲片（壁側折曲片又は天井側折曲片）が互いに溶接されることにより、それぞれの側壁又は天井を構成していることから、地震の発生に伴い内部で揺れる液体の受圧面である各側壁全体が撓んでその応力を吸収することができるばかりではなく、こうして撓んだ側壁の応力が集中する部位である前記位置に、上記変位吸収板部材が固定されていることから、天井に近い位置における側壁が座屈・破断したり、側壁に近い位置における天井が座屈・破断したりする危険性をより一層有効に低減することができる。
【００１３】
また、第３の発明（請求項３記載の発明）は、上記第１の発明において、前記正面側壁と左側壁との間、該正面側壁と右側壁との間、前記背面側壁と左側壁との間及び該背面側壁と右側壁との間には、前記変位吸収板部材が固定されてなることを特徴とするものである。
【００１４】
この第３の発明に係る耐震性貯水槽では、上記変位吸収板部材は、前記正面側壁と左側壁との間、該正面側壁と右側壁との間、前記背面側壁と左側壁との間及び該背面側壁と右側壁との間にも固定されていることから、地震等の振動に基づく貯水槽全体の変位、特に４つの側壁が互いに接続される部位に受ける応力をある程度吸収することが可能となり、地震が発生により内部に貯留された液体に大きな揺れが発生した場合であっても、互いに接続された部位における側壁が座屈・破断する危険性を有効に低減することができる。
【００１５】
なお、上記側壁や天井が、上記第２の発明として記載したように、それぞれ複数の金属製パネル（金属製側パネル又は金属製天井パネル）により構成されている場合において、上記変位吸収板部材は、前記正面側壁を構成する個々の金属製側パネルの内で最も左側に位置する金属製側パネルと左側壁を構成する個々の金属製側パネルの内で最も正面側に位置する金属製側パネルとの間、前記正面側壁を構成する個々の金属製側パネルの内で最も右側に位置する金属製側パネルと右側壁を構成する個々の金属製側パネルの内で最も正面側に位置する金属製側パネルとの間、前記背面側壁を構成する個々の金属製側パネルの内で最も左側に位置する金属製側パネルと左側壁を構成する個々の金属製側パネルの内で最も背面側に位置する金属製側パネルとの間及び前記背面側壁を構成する個々の金属製側パネルの内で最も右側に位置する金属製側パネルと右側壁を構成する個々の金属製側パネルの内で最も背面側に位置する金属製側パネルとの間に固定される。
【発明の効果】
【００１６】
上記第１の発明（請求項１記載の発明）に係る耐震性貯水槽によれば、地震等の振動に基づく貯水槽全体の変位による応力を上記変位吸収板部材によりある程度吸収することが可能となり、地震が発生により内部に貯留された液体に大きな揺れが発生した場合であっても、天井に近い位置における側壁が座屈・破断したり、側壁に近い位置における天井が座屈・破断されたりする危険性を有効に低減することができる。
【００１７】
また、第２の発明（請求項２記載の発明）に係る耐震性貯水槽によれば、地震の発生に伴い内部で揺れる液体の受圧面である各側壁全体が撓んでその応力を吸収することができるばかりではなく、こうして撓んだ側壁の応力が集中する部位である前記位置に、上記変位吸収板部材が固定されていることから、天井に近い位置における側壁が座屈・破断したり、側壁に近い位置における天井が座屈・破断したりする危険性をより一層有効に低減することができる。
【００１８】
また、第３の発明（請求項３記載の発明）に係る耐震性貯水槽では、上記変位吸収板部材は、前記正面側壁と左側壁との間、該正面側壁と右側壁との間、前記背面側壁と左側壁との間及び該背面側壁と右側壁との間にも固定されていることから、地震等の振動に基づく貯水槽全体の変位、特に４つの側壁が互いに接続される部位に受ける応力をある程度吸収することが可能となり、地震が発生により内部に貯留された液体に大きな揺れが発生した場合であっても、互いに接続された部位における側壁が座屈・破断する危険性を有効に低減することができる。
【図面の簡単な説明】
【００１９】
【図１】耐震性貯水槽全体の外観を示す斜視図である。
【図２】耐震性貯水槽の内部構造を示す斜視図である。
【図３】図２に示す耐震性貯水槽を構成する各側壁及び天井を取り除いた状態を示す斜視図である。
【図４】金属製パネルを内側から示す斜視図である。
【図５】第１の変位吸収部材の固定状態の要部を示す斜視図である。
【図６】第５ないし第８の変位吸収部材の外観を示す斜視図である。
【図７】第７の変位吸収部材の固定状態の要部を示す斜視図である。
【図８】側柱が側柱用移動規制部材に載置されている状態を示す斜視図である。
【図９】側柱移動規制部材を示す斜視図である。
【図１０】中柱と中柱用移動規制部材とを分離して示す斜視図である。
【図１１】中柱が中柱移動規制部材に載置されている状態を示す斜視図である。
【発明を実施するための最良の形態】
【００２０】
以下、本発明に係る耐震性貯水槽について、図面を参照しながら詳細に説明する。
【００２１】
この実施の形態に係る耐震性貯水槽１は、図１又は図２に示すように、外形形状が直方体状に成形されてなるものであり、長方形状に成形された正面側壁２と、この正面側壁２に対向し該正面側壁２と対称形状に成形された背面側壁３（図２参照）と、正方形状に成形された左側壁４と、この左側壁４に対向し該左側壁４と対称形状に成形された右側壁５と、長方形状に成形された天井６と、を備えている。
【００２２】
そして、上記正面側壁２、背面側壁３、左側壁４、右側壁５及び天井６は、それぞれ図４に示す金属製パネル８が互いに溶接されることにより成形されている。すなわち、上記正面側壁２及び背面側壁３は、上記金属製パネル８がそれぞれ縦４枚、横８枚の径３２枚が互いに固定されてなるものであり、上記左側壁３及び右側壁４は、上記金属製パネル８がそれぞれ縦４枚、横４枚の径１６枚が互いに固定されてなるものであり、また、上記天井６は、該天井６の平面視において、図１に示すように、上記金属製パネル８が、縦４枚、横８枚の径３２枚が互いに固定されてなるものである。なお、以下では、上記正面側壁２、背面側壁３、左側壁４、右側壁５をそれぞれ構成する金属製パネルを、金属製側パネルと記載し、また、天井６を構成する金属製パネルを金属製天井パネルと記載することがある。そして、上記金属製パネル８は、図４に示すように、正方形状に成形されたパネル本体部８ａと、このパネル本体部８ａの左右上下にそれぞれ形成された折曲片８ｂ，８ｃ，８ｄ，８ｅとから構成されている。上記パネル本体部８ａの中央には、外側に膨出した膨出部８ｆが形成され、また、上記折曲片８ｂ，８ｃ，８ｄ，８ｅは、それぞれ内側に折曲されてなるものである。なお、以下では、上記折曲片８ｂ，８ｃ，８ｄ，８ｅの何れかであって、上記正面側壁２、背面側壁３、左側壁４及び右側壁５を構成する金属製パネル８に形成されたものを、壁側折曲片と記載することがあり、また、上記天井６を構成する金属製パネル８に形成されたものを天井側折曲片と記載することがある。
【００２３】
そして、それぞれの金属製パネル８は、図１又は図２に示すように、上下方向及び／又は左右方向に隣り合う上記折曲片８ｂ，８ｃ，８ｄ，８ｅ同士が互いに溶接され、上記正面側壁２、背面側壁３、左側壁４、右側壁５を構成している。また、図１に示すように、上記正面側壁２の上端と上記天井６の正面端との間には、第１の変位吸収部材１１が固定され、上記背面側壁３の上端と天井６の背面端との間には、上記第１の変位吸収部材１１と同一形状に成形された第２の変位吸収部材１２（図３参照）が固定されている。また、上記左側壁４の上端と上記天井６の左端との間には、第３の変位吸収部材１３が固定され、上記右側壁５の上端と上記天井６の右端との間には、第４の変位吸収部材１４（図２又は図３参照）が固定されている。また、上記正面側壁２の左端と上記左側壁３との間には、図１に示すように、第５の変位吸収部材１５が固定され、上記正面側壁２の右端と上記右側壁５との間には、第６の変位吸収部材１６が固定されている。また、上記背面側壁３の左端と上記左側壁４の背面端との間には、第７の変位吸収部材１７（図３参照）が固定され、上記背面側壁３の右端と右側壁５の背面端との間には、第８の変位吸収部材１８が固定されている。
【００２４】
これらの変位吸収部材の内で、上記第１及び第２の変位吸収部材１１，１２は、それぞれ同一形状に成形され、その長さは上記正面側壁２や天井６の長さと略同一の長さに成形されている。図５は、上記第１の変位吸収部材１１の固定状態の要部を示すものであり、同図５に示されるように、この耐震性貯水槽１の表面に露出する変位吸収板部１１ａと、この変位吸収板部１１ａの一側から折曲されてなる一方の折曲片１１ｂと、上記変位吸収板部１１ａの他側から折曲されてなる他方の折曲片１１ｃとを備えている。なお、この実施の形態では、上記変位吸収板部１１ａは、平板状に成形された主平板部１１ｄと、一側は上記一方の折曲片１１ｂに連続し他側は上記主平板部１１ｄに折曲部（符号は省略する。）を介して連続してなる水平板部１１ｅと、一側は上記主平板部１１ｄに折曲部（符号は省略する。）を介して連続し他側は上記他方の折曲片１１ｃに連続してなる垂直板部１１ｆとから構成されている。また、上記一方及び他方の折曲片１１ｂ，１１ｃは、何れも角部側折曲片であり、該一方の折曲片１１ｂは、上記天井６を構成するとともに最も正面側壁２側に固定された８つの金属製天井パネル８に形成された折曲片８ｂ（天井側折曲片８ｂ）に溶接され、また、上記他方の折曲片１１ｃは、上記正面側壁２を構成するとともに最も上端側に固定された８つの金属製側パネル８に形成された折曲片８ｂ（壁側折曲片８ｂ）に溶接されている。
【００２５】
また、上記第２の変位吸収部材１２の形状は、上記第１の変位吸収部材１１の形状と同一であり、上記背面側壁３と天井６との間に固定されている。また、上記第３の変位吸収板部１３と第４の変位吸収板部１４とは、それぞれ同一の形状に成形されてなるものであり、その基本的構成は上記第１及び第２の変位吸収板部１１，１２と同様であって、上記天井６と上記左側壁４との間、又は該天井６の上記右側壁５との間に、上記一方の折曲片や他方の折曲片（それぞれ符号は省略する。）と該天井６を構成する金属製天井パネル８に形成された天井側折曲片又は左側壁４を構成する金属製側パネル８に形成された壁側折曲片若しくは右側壁５を構成する金属製側パネル８に形成された壁側折曲片とが互いに溶接されることにより固定されている。なお、上記第１ないし第４の変位吸収部材１１，１２，１３，１４の両端には、上記変位吸収板部（符号は省略する。）の端部と上記一方及び他方の折曲片(符号は省略する。)の端部とにそれぞれ溶接された側板部（符号は省略する。）が形成されている。
【００２６】
また、図６は、この第７の変位吸収部材１７を含めた上記第５ないし第８の変位吸収部材１５，１６，１７，１８の外観を示す斜視図であり、図７は、背面側壁３と左側壁４との間に固定された上記第７の変位吸収部材１７の固定状態の要部を示すものである。図６に示すように、この耐震性貯水槽１の表面に露出する変位吸収板部１５ａ，１６ａ，１７ａ，１８ａと、この変位吸収板部１５ａ，１６ａ，１７ａ，１８ａの一側から折曲されてなる一方の折曲片１５ｂ，１６ｂ，１７ｂ，１８ｂと、上記変位吸収板部１５ａ，１６ａ，１７ａ，１８ａの他側から折曲されてなる他方の折曲片１５ｃ，１６ｃ，１７ｃ，１８ｃと、を備えている。なお、この実施の形態において、上記変位吸収板部１５ａ，１６ａ，１７ａ，１８ａは、平板状に成形された主平板部１５ｄ，１６ｄ，１７ｄ，１８ｄと、一側は上記一方の折曲片１５ｂ，１６ｂ，１７ｂ，１８ｂに連続し他側は上記主平板部１５ｄ，１６ｄ，１７ｄ，１８ｄに折曲部（符号は省略する。）を介して連続してなる一方の垂直板部１５ｅ，１６ｅ，１７ｅ，１８ｅと、一側は上記主平板部１５ｄ，１６ｄ，１７ｄ，１８ｄに折曲部（符号は省略する。）を介して連続し他側は上記他方の折曲片１５ｃ，１６ｃ，１７ｃ，１８ｃに連続してなる他方の垂直板部１５ｆ，１６ｆ，１７ｆ，１８ｆとから構成されている。なお、これら第５ないし第８の変位吸収部材１５，１６，１７，１８の上端には、それぞれ変位吸収板部１５ａ，１６ａ，１７ａ，１８ａの上端と一方の折曲片１５ｂ，１６ｂ，１７ｂ，１８ｂの上端と、他方の折曲片１５ｃ，１６ｃ，１７ｃ，１８ｃの上端とに固定された天板部１５ｇ，１６ｇ，１７ｇ，１８ｇが形成され、下端には、この天板部１５ｇ，１６ｇ，１７ｇ，１８ｇに対向し、下面は後述する底板２１の上面に溶接される底板部１５ｈ，１６ｈ，１７ｈ，１８ｈが形成されている。
【００２７】
そして、上記正面側壁２の左端と上記左側壁３との間に固定（溶接）された第５の変位吸収部材１５は、該正面側壁２を構成し最も左側に固定された４つの金属製側パネル８を構成する４つの折曲片８ｂ，８ｃ，８ｄ，８ｅの内の何れかの折曲片（壁側折曲片）と上記一方の折曲片１５ｂとが溶接されるとともに、上記左側壁３を構成し最も正面側に固定された４つの金属製側パネル８を構成する４つの折曲片８ｂ，８ｃ，８ｄ，８ｅの内の何れかの折曲片（壁側折曲片）と上記他方の折曲片１５ｃとが溶接された状態で固定されている。また、上記正面側壁２の右端と上記右側壁５との間に固定（溶接）された第６の変位吸収部材１６は、該正面側壁２を構成し最も右側に固定された４つの金属製側パネル８を構成する４つの折曲片８ｂ，８ｃ，８ｄ，８ｅの内の何れかの折曲片（壁側折曲片）と上記一方の折曲片１６ｂとが溶接されるとともに、上記右側壁５を構成し最も正面側に固定された４つの金属製側パネル８を構成する４つの折曲片８ｂ，８ｃ，８ｄ，８ｅの内の何れかの折曲片（壁側折曲片）と上記他方の折曲片１６ｃとが溶接された状態で固定されている。また、上記背面側壁３の左端と上記左側壁４の背面端との間に固定（溶接）された第７の変位吸収部材１７は、図７に示すように、該背面側壁３を構成し最も左側に固定された４つの金属製側パネル８を構成する各折曲片８ｄ（壁側折曲片）と上記他方の折曲片１７ｃとが溶接されるとともに、上記左側壁４を構成し最も背面側に固定された４つの金属製側パネル８を構成する各折曲片８ｅ（壁側折曲片）と上記一方の折曲片１７ｂとが溶接された状態で固定されている。また、上記背面側壁３の右端と右側壁５の背面端との間に固定（溶接）された第８の変位吸収部材１８は、該背面側壁３を構成し最も右側に固定された４つの金属製側パネル８を構成する４つの折曲片８ｂ，８ｃ，８ｄ，８ｅの内の何れかの折曲片（壁側折曲片）と上記一方の折曲片１８ｂとが溶接されるとともに、上記右側壁５を構成し最も背面側に固定された４つの金属製側パネル８を構成する４つの折曲片８ｂ，８ｃ，８ｄ，８ｅの内の何れかの折曲片（壁側折曲片）と上記他方の折曲片１８ｃとが溶接された状態で固定されている。なお、この耐震性貯水槽１を構成する天板６の各角部は、上記第１ないし第４の変位吸収部材１１，１２，１３，１４の何れかの端部と、上記第５ないし第８の変位吸収部材１５，１６，１７，１８の何れかの上端とが互いに固定・溶接される部位であり、これらの部位は、該第１ないし第４の変位吸収部材１１，１２，１３，１４の端部に形成された図示しない側板部と、該第５ないし第８の変位吸収部材１５，１６，１７，１８を構成する上記天板部１５ｇ，１６ｇ，１７ｇ，１８ｇの何れかとが互いに溶接され、この耐震性貯水槽１の密閉性が保持されている。
【００２８】
また、この耐震性貯水槽１を構成する上記正面側壁２、背面側壁３、左側壁４、右側壁５は、図２に示すように、金属製の底板２１の周端近傍から起立してなるものであり、該正面側壁２、背面側壁３、左側壁４、右側壁５を構成する個々の金属製側パネル８の内側には、図２又は図３に示す補強杆２２が固定されている。これらの補強杆２２は、上記金属製パネル８を構成する４つの折曲片８ｂ，８ｃ，８ｄ，８ｅであって鉛直方向に長さを有する折曲片（符号は省略する。）に溶接された部材である。すなわち、これらの補強杆２２は、左右方向に隣り合う金属製側パネル８間に固定（溶接）されており、この実施の形態においては、図３に示すように、背面側壁３の内側には、鉛直方向に４つ直線状に並んで溶接され、この鉛直方向に直線状に並んだ補強杆２２群が水平方向に６つ並んで溶接されている。なお、正面側壁２の内側にも、上記背面側壁３に固定された数と同一の数の補強杆２２が溶接されている。また、上記左側壁４及び右側壁５の内側には、それぞれの金属製側パネル８の間に上記補強杆２２が溶接されているとともに、該左側壁４や右側壁５を構成し最も正面側に固定された金属製側パネル８の正面側にも該補強杆２２が溶接されていることから、それぞれ計４つの補強杆２２が水平方向に平行に溶接されており、鉛直方向には４つ補強杆２２が溶接されている。換言すれば、上記左側壁４及び右側壁５の内側には、鉛直方向及び水平方向に、全部で１６個の補強杆２２が溶接されている。
【００２９】
そして、上記底板２１上には、図３に示すように、２個の中柱２３と、２０個の側柱２４とが立設されている。そして、上記中柱２３及び側柱２４は、図８又は図１１に示すように、鉛直方向に長さを有する第１の柱板部２３ａ，２４ａと、この第１の柱板部２３ａ，２４ａの一側から折曲されてなる第２の柱板部２３ｂ，２４ｂと、を備えたものである。そして、上記それぞれの側柱２４は、上記第１の柱板部２４ａが上記各補強杆２２に溶接されているとともに、それぞれの側柱２４は、下面が上記底板２１の上面に溶接された側柱用移動規制部材２５に載置されている。この側柱用移動規制部材２５は、図９に示すように、長方形状に成形されたベース板部２５ａと、このベース板部２５ａの一側から起立してなる起立板部２５ｂと、該ベース板部２５ａから起立板部２５ｂに亘って固定された補強リブ２５ｃとから構成されており、上記起立板部２５ｂには、その上端から下方に亘って形成されたスリット２５ｄが形成されている。そして、上記それぞれの側柱２４は、図８に示すように、該側柱２４を構成する上記第１の柱板部２４ａの下端側が上記スリット２５ｄに挿入されることにより、この側柱用移動規制部材２５に載置されている。なお、このように、側柱２４を構成する上記第１の柱板部２４ａの下端側が上記スリット２５ｄに挿入された際には、該側柱２４を構成する第２の柱板部２４ｂの下端側は、側柱用移動規制部材２５を構成する起立板部２５ｂに対向する。したがって、この側柱用移動規制部材２５により支持されたそれぞれの側柱２４は、底板２１の平面視において、Ｘ方向及びＹ方向に移動することが規制されている。
【００３０】
一方、上記それぞれの中柱２３は、図１０又は図１１に示すように、下面が上記底板２１の上面に溶接された中柱用移動規制部材２６に載置されている。この中柱用移動規制部材２６は、図１０に示すように、底板２１の上面に溶接される方形状のベース板部２６ａと、このベース板部２６ａの中央から上方に起立してなる移動規制部２６ｂと、を備えている。上記ベース板部２６ａの上面は、上記中柱２３を構成する第１及び第２の柱板部２３ａ，２３ｂの下端が当接する部位である。一方、この実施の形態において、上記中柱２３の下端には、上記第１の柱板部２３ａ及び第２の柱板部２３ｂに加えて、上記移動規制部２６ｂが挿入されるボックス部２３ｃが形成されている。このボックス部２３ｃは、上記第１の柱板部２３ａの下端側と、この第１の柱板部２３ａの下端側に対向する第１の対向板部２３ｄと、上記第２の柱板部２３ｂの下端側と、この第２の柱板部２３ｂの下端側に対向する第２の対向板部２３ｅと、これら第１及び第２の柱板部２３ａ，２３ｂの下端側と、上記第１及び第２の対向板部２３ｄ，２３ｅにより囲まれた空間を閉塞する天板部２３ｆとから構成されている。したがって、上記中柱２３が、図１１に示すように、第１及び第２の柱板部２３ａ，２３ｂの下端と上記ボックス部２３ｃを構成する第１及び第２の対向板部２３ｄ，２３ｅの下端とが、上記ベース板部２６ａの上面に当接されて上記中柱用移動規制部材２６に天井６の荷重が支持されると、該中柱２３は、上記底板２１の平面視において、Ｘ方向及びＹ方向（並びにこれらの方向の合成方向）に移動することが規制される。
【００３１】
また、この実施の形態に係る耐震性貯水槽１では、図２又は図３に示すように、上記底板２１の上方には、第１の補強アングル材３１と第２の補強アングル材３２が溶接されている。上記第１及び第２の補強アングル材３１，３２は、それぞれ断面Ｌ字状に成形されてなるものであり、上記第１の補強アングル材３１は、上記正面側壁２や背面側壁３の長さ方向に沿って固定されてなるものであり、上記第２の補強アングル材３２は、上記天井６の長さ方向とは直交する方向に長さを有するものである。そして、上記第１の補強アングル材３１は、図３に示すように、一端は上記左側壁４の内側に固定された側柱２４の上端側中途部（左側壁４を構成する下から２番目に固定された金属製側パネル８と３番目に固定された金属製側パネル８との間）に溶接され、他端は上記右側壁５の内側に溶接された側柱２４の上端側中途部（右側壁５を構成する下から２番目に固定された金属製側パネル８と３番目に固定された金属製側パネル８との間）に溶接されている。すなわち、この第１の補強アングル材３１は、全部で４本それぞれ水平方向に平行に固定されている。そして、これら４本の第１の補強アングル材３１の一部（正面側から２本面の補強アングル材３１）の中途部は、上記各中柱２３に溶接されている。また、上記第２の補強アングル材３２は、一端は上記正面側壁２の内側に固定された図示しない側柱２４の上端側中途部（正面側壁２を構成する下から２番目に固定された金属製側パネル８と３番目に固定された金属製側パネル８との間）に溶接され、他端は上記背面側壁３の内側に溶接された側柱２４の上端側中途部（背面側壁３を構成する下から２番目に固定された金属製側パネル８と３番目に固定された金属製側パネル８との間）に溶接されている。すなわち、この第２の補強アングル材３２は、全部で６本それぞれ水平方向に平行に固定されている。そして、これら４本の第２の補強アングル材３２の一部（左側壁４側から３本目の補強アングル材３２と、５番目の補強アングル材３２）の中途部は、上記それぞれの中柱２３に溶接されている。
【００３２】
なお、本実施の形態においては、上記第１及び第２の補強アングル材３１，３２の上方には、該第１の補強アングル材３１のそれぞれと平行に第１の小型補強アングル材３３が４本固定され、また、第２の補強アングル材３２のそれぞれと平行に第２の小型補強アングル材３４が固定されている。これら第１の（４本）の小型補強アングル材３３は、一端が上記左側壁４の内側に固定された補強杆２２の中途部（左側壁４を構成する下から３番目に固定された金属製側パネル８と４番目に固定された金属製側パネル８との間）に溶接され、他端は上記右側壁５の内側に固定された補強杆２２の中途部（右側壁５を構成する下から３番目に固定された金属製側パネル８と４番目に固定された金属製側パネル８との間）に溶接されている。また、上記第２の小型補強アングル材３４は、一端が上記正面側壁２の内側に固定された図示しない補強杆２２の中途部（正面壁２を構成する下から３番目に固定された金属製側パネル８と４番目に固定された金属製側パネル８との間）に溶接され、他端は上記背面側壁３の内側に固定された補強杆２２の中途部（背面側壁３を構成する下から３番目に固定された金属製側パネル８と４番目に固定された金属製側パネル８との間）に溶接されている。そして、上記第１の小型補強アングル材３３（４本）の内で、正面側から背面側にかけて２本目の第１の小型補強アングル材３３の中途部は、上記各中柱２３に溶接されており、上記第２の小型補強アングル材３４（６本）の内で、左側から右側にかけて３本目の第２の小型補強アングル材３４と５番目の第２の小型補強アングル材３４）の中途部は、上記各中柱２３に溶接されている。
【００３３】
またさらに、この実施の形態では、上記第１の小型補強アングル材３３の上方には、該第１の小型補強アングル材３３のそれぞれと平行に第１の天井側補強アングル材３５が４本固定され、また、上記第２の小型補強アングル材３４の上方には、該第２の小型補強アングル材３４のそれぞれと平行に第２の天井側補強アングル材３６が固定されている。これら第１の（４本）の天井側補強アングル材３５は、一端が上記左側壁４の内側に固定された補強杆２２の中途部（左側壁４を構成する最上段に固定された金属製側パネル８に固定された補強杆２２の上端側中途部）に溶接され、他端は上記右側壁５の内側に固定された補強杆２２の中途部（右側壁５を構成する最上段に固定された金属製側パネル８に固定された補強杆２２の上端側中途部）に溶接されている。また、上記第２の天井側補強アングル材３６は、一端が上記正面側壁２の内側に固定された図示しない補強杆２２の中途部（正面側壁２を構成する最上段に固定された金属製側パネル８に固定された補強杆２２の上端側中途部）に溶接され、他端は上記背面側壁３の内側に固定された補強杆２２の中途部（背面側壁３を構成する最上段に固定された金属製側パネル８に固定された補強杆２２の上端側中途部）に溶接されている。そして、上記第１の天井側補強アングル材３５（４本）の内で、正面側から背面側にかけて２本目の第１の天井側補強アングル材３５）の中途部は、上記各中柱２３に溶接されており、上記第２の天井側補強アングル材３６（６本）の内で、左側から右側にかけて３本目の第２の天井側補強アングル材３６と５番目の第２の天井側補強アングル材３６）の中途部は、上記各中柱２３に溶接されている。なお、これら第１及び第２の天井側補強アングル３５，３６の上端には、所定間隔を隔てて図１に示す天井６（該天井６を構成する個々の金属製天井パネル８）を支持する天井支持部材３７がそれぞれ立設されている。
【００３４】
したがって、上述した実施の形態に係る耐震性貯水槽１によれば、上記第１ないし第４の変位吸収部材１１，１２，１３，１４により、地震等の振動に基づく耐震性貯水槽１全体の変位による応力をある程度吸収することが可能となり、地震が発生により内部に貯留された液体に大きな揺れが発生した場合であっても、天井６に近い位置における側壁（正面側壁２、背面側壁３、左側壁４又は右側壁５を構成する金属製側パネル８）が座屈・破断したり、該側壁に近い位置における天井６が座屈・破断されたりする危険性を有効に低減することができる。特に、上記実施の形態に係る耐震性貯水槽１では、上記正面側壁２と左側壁４との間、該正面側壁２と右側壁５との間、前記背面側壁３と左側壁４との間及び該背面側壁３と右側壁５との間には、前記第５、第６、第７又は第８の変位吸収板部材１５，１６，１７，１８が固定されてなることから、地震等の振動に基づく耐震性貯水槽１全体の変位、特に４つの側壁が互いに接続される部位に受ける応力をある程度吸収することが可能となり、地震が発生により内部に貯留された液体に大きな揺れが発生した場合であっても、互いに接続された部位における側壁が座屈・破断する危険性を有効に低減することができる。
【００３５】
さらに、この実施の形態に係る耐震性貯水槽１では、上記中柱２３や側柱２４は、上記第１及び第２の補強アングル材３１，３２の一部に固定されているばかりか、上記第１及び第２の小型補強アングル材３３，３４の一部に固定され、加えて、上記第１及び第２の天井側補強アングル材３５，３６の一部にも固定されていることから、耐震性貯水槽１全体の耐震性を一層向上することができる。
【符号の説明】
【００３６】
１  耐震性貯水槽
２  正面側壁
３  背面側壁
４  左側壁
５  右側壁
６  天井
８  金属製パネル（金属製側パネル、金属製天井パネル）
８ｂ，８ｃ，８ｄ，８ｅ  折曲片（壁側折曲片、天井側折曲片）
１１  第１の変位吸収部材
１１ａ  変位吸収板部
１１ｂ  一方の折曲片
１１ｃ  他方の折曲片
１２  第２の変位吸収部材
１３  第３の変位吸収部材
１４  第４の変位吸収部材
１５  第５の変位吸収部材
１５ａ  変位吸収板部
１５ｂ  一方の折曲片
１５ｃ  他方の折曲片
１６  第６の変位吸収部材
１６ａ  変位吸収板部
１６ｂ  一方の折曲片
１６ｃ  他方の折曲片
１７  第７の変位吸収部材
１７ａ  変位吸収板部
１７ｂ  一方の折曲片
１７ｃ  他方の折曲片
１８  第８の変位吸収部材
１８ａ  変位吸収板部
１８ｂ  一方の折曲片
１８ｃ  他方の折曲片
【図１】
2020094354.tif 000003
【図２】
2020094354.tif 000004
【図３】
2020094354.tif 000005
【図４】
2020094354.tif 000006
【図５】
2020094354.tif 000007
【図６】
2020094354.tif 000008
【図７】
2020094354.tif 000009
【図８】
2020094354.tif 000010
【図９】
2020094354.tif 000011
【図１０】
2020094354.tif 000012
【図１１】
2020094354.tif 000013